(57)【要約】【課題】端子台に対する電子部品の取付状態が安定化した電子部品付き端子台を提供する。【解決手段】電子部品付き端子台３は、第１貫通孔１３Ｒおよび第２貫通孔１３Ｌが正面壁１２に設けられた端子台１０と、部品本体２１０、第１リード２１１Ｒおよび第２リード２１１Ｌを含む電子部品２００と、絶縁性の取付補助具１００Ａとを備える。取付補助具１００Ａは、背面が正面壁１２に当接するように筐体１１の外側に配置された基部１１０と、基部１１０の背面から突出することで第１貫通孔１３Ｒおよび第２貫通孔１３Ｌにそれぞれ挿入された第１挿入部１２０Ｒおよび第２挿入部１２０Ｌとを含む。取付補助具１００Ａには、第１リード２１１Ｒが挿通される第１通路部および第２リード２１１Ｌが挿通される第２通路部が設けられるとともに、部品本体２１０の少なくとも背部を受け入れて収容する受け入れ部１１３がその正面側の位置に設けられる。【選択図】図３
2020149928.tif 000002
【特許請求の範囲】
【請求項１】
端子台と、
前記端子台に取付けられた電子部品と、
前記電子部品と前記端子台との間に介装された絶縁性の取付補助具と、を備えた電子部品付き端子台であって、
前記端子台は、内部に形成された収容部に達するように第１貫通孔および第２貫通孔が正面壁に設けられた筐体と、前記第１貫通孔に面するように前記収容部に配置された第１端子部と、前記第２貫通孔に面するように前記収容部に配置された第２端子部と、を含み、
前記電子部品は、前記正面壁に面するように前記筐体の外側に配置された部品本体と、前記第１貫通孔に挿通されるとともに前記第１端子部に接続された第１リードと、前記第２貫通孔に挿通されるとともに前記第２端子部に接続された第２リードと、を含み、
前記取付補助具は、背面が前記正面壁に当接するとともに前記第１貫通孔および前記第２貫通孔に一部が面するように前記筐体の外側に配置された基部と、前記基部の背面から突出することで前記第１貫通孔に挿入された第１挿入部と、前記基部の背面から突出することで前記第２貫通孔に挿入された第２挿入部と、を含み、
前記第１リードが挿通される中空状の第１通路部が、前記基部および前記第１挿入部に跨がって設けられ、
前記第２リードが挿通される中空状の第２通路部が、前記基部および前記第２挿入部に跨がって設けられ、
前記部品本体の少なくとも背部を受け入れて収容する受け入れ部が、前記基部の正面側の位置に設けられている、電子部品付き端子台。
【請求項２】
前記受け入れ部が、前記第１通路部と前記第２通路部との間に少なくとも位置している、請求項１に記載の電子部品付き端子台。
【請求項３】
前記基部は、正面側から見た場合において前記第１通路部と前記第２通路部とを結ぶ方向に直交する方向において対峙する一対の立壁部を有し、
前記受け入れ部が、前記一対の立壁部によって規定されている、請求項２に記載の電子部品付き端子台。
【請求項４】
正面側から見た場合において、前記一対の立壁部の間に前記基部が位置していない、請求項３に記載の電子部品付き端子台。
【請求項５】
前記第１通路部が、前記基部から遠ざかるにつれて通路断面積が減少することで前記第１リードを前記第１端子部に案内する第１案内部を有し、
前記第２通路部が、前記基部から遠ざかるにつれて通路断面積が減少することで前記第２リードを前記第２端子部に案内する第２案内部を有している、請求項１から４のいずれかに記載の電子部品付き端子台。
【請求項６】
正面側から見た場合に前記第１通路部の少なくとも一部を取り囲む第１枠状部が、前記基部に設けられ、
正面側から見た場合に前記第２通路部の少なくとも一部を取り囲む第２枠状部が、前記基部に設けられ、
前記第１枠状部の背面および前記第２枠状部の背面が、それぞれ前記正面壁に当接している、請求項１から５のいずれかに記載の電子部品付き端子台。
【請求項７】
請求項１から６のいずれかに記載の電子部品付き端子台を備えた、電子機器。
【請求項８】
端子台に取付けられる電子部品と端子台との間に介装される電子部品用取付補助具であって、
背面が端子台の筐体の正面壁に当接するとともに端子台の第１貫通孔および端子台の第２貫通孔に一部が面するように端子台の筐体の外側に配置されるための基部と、
前記基部の背面から突出することで端子台の第１貫通孔に挿入されるための第１挿入部と、
前記基部の背面から突出することで端子台の第２貫通孔に挿入されるための第２挿入部と、を備え、
電子部品の第１リードが挿通されるための中空状の第１通路部が、前記基部および前記第１挿入部に跨がって設けられ、
電子部品の第２リードが挿通されるための中空状の第２通路部が、前記基部および前記第２挿入部に跨がって設けられ、
電子部品の部品本体の少なくとも背部を受け入れて収容する受け入れ部が、前記基部の正面側の位置に設けられている、電子部品用取付補助具。
【発明の詳細な説明】
【技術分野】
【０００１】
本開示は、電子部品が予め端子台に取付けられてなる電子部品付き端子台、当該電子部品付き端子台を備えた電子機器、および、端子台に取付けられる電子部品と端子台との間に介装される電子部品用取付補助具（以下、単に「取付補助具」とも称する）に関する。
【背景技術】
【０００２】
従来、一対の端子部にて構成された汎用端子接続部が複数組設けられてなる端子台を備えた電子機器として、プログラマブル・ロジック・コントローラ（ＰＬＣ）のＩ／Ｏユニットが知られている。このＩ／Ｏユニットのうちの温度入力ユニットおよび温度調節ユニット（以下、これらを含めて「測温ユニット」と称する）は、上述した複数組の汎用端子接続部のうちの１組または複数組に熱電対が接続されることにより、当該熱電対を用いての温度測定が可能となるものである。
【０００３】
ここで、測温ユニットの汎用端子接続部の一対の端子部に接続された熱電対を用いて温度測定を行なう場合には、端子台温度の影響により、熱電対による測定温度と実際に測定すべき温度との間に大きなズレが生じてしまう場合がある。
【０００４】
この温度測定のズレを防止する方法としては、測温ユニットの端子台温度を測定するために電子部品である冷接点センサを測温ユニットに搭載し、当該冷接点センサを用いて測定された測温ユニットの端子台温度を利用して上述したズレを補償する方法が知られている。このような方法が具体的に開示された文献としては、たとえば特開２００４−１５０８３６号公報（特許文献１）がある。
【０００５】
なお、当該特許文献１においては、熱電対が接続された１組の汎用端子接続部の近傍に位置する部分の測温ユニットに冷接点センサを設けることが記載されているものの、具体的にどの位置にどのように冷接点センサを設けるかについては、その言及がなされていない。
【先行技術文献】
【特許文献】
【０００６】
【特許文献１】特開２００４−１５０８３６号公報
【発明の概要】
【発明が解決しようとする課題】
【０００７】
上述した冷接点センサの設置方法としては、様々な方法が想定されるが、その一つとして端子台に設けられた複数組の汎用端子接続部のうち、事前に決められたあるいは任意に選択された特定の１組に予め当該冷接点センサを外部から取付けておく方法が考えられる。当該方法は、上述した特定の１組の汎用端子接続部の一対の端子部に対応して設けられた端子台の一対の貫通孔に予め冷接点センサの一対のリードを挿入し、これによって当該一対のリードを一対の端子部に接続しておくことにより、予め冷接点センサを端子台に取付けておくというものである。
【０００８】
このように構成した場合には、端子台に設けられた複数の汎用端子接続部のうちの当該１組をもはや汎用端子接続部として利用することができなくなる反面、冷接点センサを簡便に端子台に取付けることが可能になる効果が得られるばかりでなく、冷接点センサの部品本体を測温ユニットの外部に設置することが可能になるため、より正確に汎用端子接続部の一対の端子部の温度を測定することが可能になり、結果として測温ユニットの内部における発熱の影響も受け難く、温度測定の精度の低下をより確実に防止できる効果も得られる。
【０００９】
しかしながら、汎用端子接続部は、様々な形状や大きさの端子が受け入れ可能となるように、上述した一対の貫通孔および一対の端子部を含め、その寸法が比較的大きく構成されるものであるのに対し、冷接点センサの一対のリードは、非常に細い形状のものである。そのため、当該汎用端子接続部に冷接点センサを外部から取付けることとした場合には、その取付状態が不安定になり易く、冷接点センサや端子台、測温ユニット等に外力が印加された場合に、冷接点センサの接続不良が発生してしまうおそれもある。
【００１０】
したがって、本開示は、上述した問題に鑑みてなされたものであり、本開示の目的は、端子台に対する電子部品の取付状態が安定化した電子部品付き端子台およびこれを備えた電子機器を提供することにあり、また、本開示の他の目的は、端子台に電子部品を取付ける場合にその取付状態を安定化させることができる電子部品用取付補助具を提供することにある。
【課題を解決するための手段】
【００１１】
本開示に従ったある態様に係る電子部品付き端子台は、端子台と、上記端子台に取付けられた電子部品と、上記電子部品と上記端子台との間に介装された絶縁性の取付補助具とを備えている。上記端子台は、内部に形成された収容部に達するように第１貫通孔および第２貫通孔が正面壁に設けられた筐体と、上記第１貫通孔に面するように上記収容部に配置された第１端子部と、上記第２貫通孔に面するように上記収容部に配置された第２端子部とを含んでいる。上記電子部品は、上記正面壁に面するように上記筐体の外側に配置された部品本体と、上記第１貫通孔に挿通されるとともに上記第１端子部に接続された第１リードと、上記第２貫通孔に挿通されるとともに上記第２端子部に接続された第２リードとを含んでいる。上記取付補助具は、背面が上記正面壁に当接するとともに上記第１貫通孔および上記第２貫通孔に一部が面するように上記筐体の外側に配置された基部と、上記基部の背面から突出することで上記第１貫通孔に挿入された第１挿入部と、上記基部の背面から突出することで上記第２貫通孔に挿入された第２挿入部とを含んでいる。本開示に従った上記ある態様に係る電子部品付き端子台にあっては、上記第１リードが挿通される中空状の第１通路部が、上記基部および上記第１挿入部に跨がって設けられており、上記第２リードが挿通される中空状の第２通路部が、上記基部および上記第２挿入部に跨がって設けられており、上記部品本体の少なくとも背部を受け入れて収容する受け入れ部が、上記基部の正面側の位置に設けられている。
【００１２】
このように構成することにより、端子台の筐体の正面壁に設けられた第１貫通孔と電子部品の第１リードとの間、および、端子台の筐体の正面壁に設けられた第２貫通孔と電子部品の第２リードとの間に、それぞれ電子部品用取付補助具の第１挿入部および第２挿入部が介在することになるため、端子台に対する電子部品の取付状態が安定化することになる。また、電子部品用取付補助具の正面側の位置に、電子部品の部品本体の少なくとも背部を受け入れて収容する受け入れ部が設けられていることにより、電子部品の取付状態が安定化するばかりでなく、端子台の正面側の位置において電子部品および電子部品用取付補助具が大きく迫り出すように配置されることもないため、これら電子部品および電子部品用取付補助具が邪魔になることも回避することができる。
【００１３】
本開示に従った上記ある態様に係る電子部品付き端子台にあっては、上記受け入れ部が、上記第１通路部と上記第２通路部との間に少なくとも位置していることが好ましい。
【００１４】
このように構成することにより、少なくともその背部が受け入れ部に収容された状態にある電子部品が、端子台の正面側の位置において第１貫通孔と第２貫通孔との間に配置されることになるため、これら第１貫通孔および第２貫通孔が設けられた部分の端子台の正面側の領域から電子部品および電子部品用取付補助具が外側に向けて大きく食み出すように配置されることがなくなり、これら電子部品および電子部品用取付補助具が邪魔になることをさらに回避することができる。
【００１５】
本開示に従った上記ある態様に係る電子部品付き端子台にあっては、上記基部が、正面側から見た場合において上記第１通路部と上記第２通路部とを結ぶ方向に直交する方向において対峙する一対の立壁部を有していてもよく、その場合には、上記受け入れ部が、上記一対の立壁部によって規定されていることが好ましい。
【００１６】
このように構成することにより、一対の立壁部により、端子台の正面側の位置において第１通路部と第２通路部とを結ぶ方向に直交する方向に沿って電子部品の部品本体を挟み込むことが可能になるため、受け入れ部によって電子部品の部品本体をより安定的に受け入れて収容することが可能になる。
【００１７】
本開示に従った上記ある態様に係る電子部品付き端子台にあっては、正面側から見た場合において、上記一対の立壁部の間に上記基部が位置していないことが好ましい。
【００１８】
このように構成することにより、受け入れ部に収容された部分の電子部品の部品本体と端子台の正面壁との間に電子部品用取付補助具が位置しないことになるため、端子台の正面側の位置において電子部品および電子部品用取付補助具の迫り出し量を最小化することが可能になり、これら電子部品および電子部品用取付補助具が邪魔になることを最大限回避することができる。
【００１９】
本開示に従った上記ある態様に係る電子部品付き端子台にあっては、上記第１通路部が、上記基部から遠ざかるにつれて通路断面積が減少することで上記第１リードを上記第１端子部に案内する第１案内部を有していることが好ましく、また、上記第２通路部が、上記基部から遠ざかるにつれて通路断面積が減少することで上記第２リードを上記第２端子部に案内する第２案内部を有していることが好ましい。
【００２０】
このように構成することにより、端子台に対する電子部品の取付け時においては、電子部品の第１リードおよび第２リードがこれら第１案内部および第２案内部によってそれぞれ案内されて第１端子部および第２端子部に接続されることになり、接続位置の適正化および取付作業の容易化が図られることになり、取付け後の状態においては、第１リードおよび第２リードがそれら各々の接続方向と直交する方向において位置ずれを起こしてしまうことが抑制でき、結果として接続不良の発生を未然に防止することができる。
【００２１】
本開示に従った上記ある態様に係る電子部品付き端子台にあっては、正面側から見た場合に上記第１通路部の少なくとも一部を取り囲む第１枠状部が、上記基部に設けられていてもよく、また、正面側から見た場合に上記第２通路部の少なくとも一部を取り囲む第２枠状部が、上記基部に設けられていてもよい。その場合には、上記第１枠状部の背面および上記第２枠状部の背面が、それぞれ上記正面壁に当接していることが好ましい。
【００２２】
このように構成することにより、電子部品と端子台との間に介装される電子部品用取付補助具が端子台に対して安定的に位置決めされて保持されることになり、結果として端子台に対する電子部品の取付状態をさらに安定化させることができる。
【００２３】
本開示に従ったある態様に係る電子機器は、本開示に従った上記ある態様に係る電子部品付き端子台を備えてなるものである。
【００２４】
このように構成することにより、端子台に対する電子部品の取付状態が安定化した電子機器とすることができる。
【００２５】
本開示に従ったある態様に係る電子部品用取付補助具は、端子台に取付けられる電子部品と端子台との間に介装されるものであって、背面が端子台の筐体の正面壁に当接するとともに端子台の第１貫通孔および端子台の第２貫通孔に一部が面するように端子台の筐体の外側に配置されるための基部と、上記基部の背面から突出することで端子台の第１貫通孔に挿入されるための第１挿入部と、上記基部の背面から突出することで端子台の第２貫通孔に挿入されるための第２挿入部とを備えている。本開示に従った上記ある態様に係る取付補助具にあっては、電子部品の第１リードが挿通されるための中空状の第１通路部が、上記基部および上記第１挿入部に跨がって設けられており、電子部品の第２リードが挿通されるための中空状の第２通路部が、上記基部および上記第２挿入部に跨がって設けられており、電子部品の部品本体の少なくとも背部を受け入れて収容する受け入れ部が、上記基部の正面側の位置に設けられている。
【００２６】
このように構成することにより、端子台に電子部品を取付ける場合にその取付状態を安定化させることができる電子部品用取付補助具とすることができる。
【発明の効果】
【００２７】
本開示のある局面に従えば、端子台に対する電子部品の取付状態が安定化した電子部品付き端子台およびこれを備えた電子機器を提供することができ、また、本開示の他のある局面に従えば、端子台に電子部品を取付ける場合にその取付状態を安定化させることができる電子部品用取付補助具を提供することができる。
【図面の簡単な説明】
【００２８】
【図１】実施の形態に係る電子機器の斜視図である。
【図２】実施の形態に係る電子部品付き端子台の要部の拡大斜視図である。
【図３】実施の形態に係る電子部品付き端子台の要部の分解斜視図である。
【図４】実施の形態に係る電子部品用取付補助具の斜視図である。
【図５】実施の形態に係る電子部品用取付補助具の正面図である。
【図６】図５に示すＶＩ−ＶＩ線に沿った断面図である。
【図７】図６に示すＶＩＩ−ＶＩＩ線に沿った断面図である。
【図８】図２に示すＶＩＩＩ−ＶＩＩＩ線に沿った断面図である。
【図９】図８に示すＩＸ−ＩＸ線に沿った断面図である。
【図１０】第１変形例に係る電子部品用取付補助具の斜視図である。
【図１１】第１変形例に係る電子部品用取付補助具の断面図である。
【図１２】第２変形例に係る電子部品用取付補助具の斜視図である。
【図１３】第２変形例に係る電子部品用取付補助具の断面図である。
【図１４】第３変形例に係る電子部品用取付補助具の斜視図である。
【図１５】第３変形例に係る電子部品用取付補助具の断面図である。
【発明を実施するための形態】
【００２９】
以下、実施の形態について、図を参照して詳細に説明する。以下に示す実施の形態は、ＰＬＣの測温ユニット（すなわち、温度入力ユニットまたは温度調節ユニット）およびこれに具備された電子部品付き端子台ならびにこれに用いられる電子部品用取付補助具を例示するものである。なお、以下に示す実施の形態においては、同一のまたは共通する部分について図中同一の符号を付し、その説明は繰り返さない。
【００３０】
＜Ａ．電子機器および電子部品付き端子台の概略的な構成＞
図１は、実施の形態に係る電子機器の斜視図であり、図２は、図１に示す端子台の要部の拡大斜視図である。また、図３は、図２に示す端子台の要部の分解斜視図である。まず、これら図１ないし図３を参照して、実施の形態に係る電子機器１およびこれに具備された電子部品付き端子台３の概略的な構成について説明する。
【００３１】
図１に示すように、ＰＬＣの測温ユニットとしての電子機器１は、上下方向の外形寸法および前後方向の外形寸法が相対的に大きくかつ左右方向の外形寸法が相対的に小さく構成された偏平な略直方体形状の外形を有しており、機器本体２と電子部品付き端子台３とを備えている。電子部品付き端子台３は、機器本体２の正面側下部に設けられた切り欠き状の部位に取付けられており、これにより電子機器１は、全体として上述した如くの略直方体形状の外形を有している。
【００３２】
機器本体２の内部には、各種の電子部品やこれが実装された配線基板等が収容されており、これらによって温度測定や温度調節等に必要な電子機器１の機能部が構成されている。一方、電子部品付き端子台３は、機器本体２の内部に設けられたこれら機能部と外部の機器やセンサ（熱電対を含む）等とを電気的に接続するための入出力部を構成している。
【００３３】
図１ないし図３に示すように、電子部品付き端子台３は、端子台１０と、取付補助具１００Ａと、電子部品２００とを備えている。このうち、電子部品２００は、いわゆる冷接点センサであり、外部から端子台１０に取付けられる。取付補助具１００Ａは、端子台１０に取付けられる電子部品２００と端子台１０との間に介装されるものである。
【００３４】
端子台１０は、上下方向に沿って延びる細長の略直方体形状の外形を有しており、その正面に熱電対等が接続可能な複数組の汎用端子接続部を有している。電子部品２００は、これら複数組の汎用端子接続部のうちの最上段に位置する汎用端子接続部に、端子台１０の外部から接続されている。取付補助具１００Ａは、電子部品２００が取付けられた汎用端子接続部に装着されることにより、電子部品２００と端子台１０との間に介在している。
【００３５】
なお、本実施の形態においては、上述したように、電子部品２００が複数組の汎用端子接続部のうちの最上段に位置する汎用端子接続部に取付けられた場合を例示しているが、当然に他の汎用端子接続部に取付けられてもよい。
【００３６】
端子台１０は、当該端子台１０の外殻である筐体１１を有しており、筐体１１は、正面壁１２を含んでいる。正面壁１２には、行列状に複数個の貫通孔および複数個の窓部が設けられている。これら複数個の貫通孔および複数個の窓部は、複数組の汎用端子接続部を構成するものである。ここで、一組の汎用端子接続部は、左右一対の貫通孔（第１貫通孔１３Ｒおよび第２貫通孔１３Ｌ）と、左右一対の窓部（操作用第１窓部１４Ｒおよび操作用第２窓部１４Ｌ）とを含んでいる。
【００３７】
第１貫通孔１３Ｒおよび第２貫通孔１３Ｌの各々は、正面壁１２に設けられた略円柱状の孔部にて構成されており、いずれも正面壁１２をその厚み方向に沿って貫通している。一方、操作用第１窓部１４Ｒおよび操作用第２窓部１４Ｌの各々は、正面壁１２に設けられた略四角柱状の孔部にて構成されており、いずれも正面壁１２をその厚み方向に沿って貫通している。操作用第１窓部１４Ｒは、第１貫通孔１３Ｒの上方に位置しており、操作用第２窓部１４Ｌは、第２貫通孔１３Ｌの上方に位置している。
【００３８】
特に図３を参照して、電子部品２００は、部品本体２１０と、左右一対のリード（第１リード２１１Ｒおよび第２リード２１１Ｌ）と、部品本体２１０を覆う円筒状のカバー部材２２０とを含んでいる。
【００３９】
部品本体２１０は、略円柱状の外形を有しており、第１リード２１１Ｒおよび第２リード２１１Ｌは、部品本体２１０の軸方向端面からそれぞれ当該部品本体２１０の軸方向に沿って互いに逆向きに延びている。また、第１リード２１１Ｒおよび第２リード２１１Ｌの各々は、その途中位置において折り曲げられており、これによりそれらの先端側の部分は互いに同じ向きに延びている。カバー部材２２０は、部品本体２１０を外部から保護するための部材であるとともに、部品本体２１０を外気から断熱するための部材でもある。
【００４０】
特に図３を参照して、取付補助具１００Ａは、正面側に位置する基部１１０と、基部１１０の背面から後方に向けて突出する左右一対の挿入部（第１挿入部１２０Ｒおよび第２挿入部１２０Ｌ）とを含む絶縁性の部材からなり、好ましくは樹脂製の射出成形品にて構成される。取付補助具１００Ａは、絶縁性であればその材質が特に制限されるものではないが、たとえばポリカーボネート樹脂等が特に好適な材質として選択される。
【００４１】
基部１１０は、左右方向の外形寸法が相対的に大きくかつ上下方向の外形寸法が相対的に小さく構成されるとともに、前後方向の外形寸法が十分に小さいその中央部が切り欠かれた偏平な枠状の部位にて構成されている。一方、第１挿入部１２０Ｒおよび第２挿入部１２０Ｌの各々は、いずれも前後方向に延びる筒状の部位にて構成されている。
【００４２】
その具体的な構造については後において詳述するが、取付補助具１００Ａには、基部１１０および第１挿入部１２０Ｒに跨がって中空状の第１通路部１２１Ｒが設けられているとともに、基部１１０および第２挿入部１２０Ｌに跨がって中空状の第２通路部１２１Ｌが設けられている。また、取付補助具１００Ａの基部１１０には、その正面側の位置に切り欠き状の受け入れ部１１３が設けられている。
【００４３】
ここで、図１ないし図３を参照して、電子部品付き端子台３においては、端子台１０の上述した第１貫通孔１３Ｒに取付補助具１００Ａの第１挿入部１２０Ｒが挿入されるとともに、端子台１０の上述した第２貫通孔１３Ｌに取付補助具１００Ａの第２挿入部１２０Ｌが挿入されることにより、取付補助具１００Ａが、端子台１０の最上段に位置する汎用端子接続部に装着されている。
【００４４】
一方、電子部品２００は、その第１リード２１１Ｒが取付補助具１００Ａの上述した第１通路部１２１Ｒに挿通されるとともに、その第２リード２１１Ｌが取付補助具１００Ａの上述した第２通路部１２１Ｌに挿通された状態で、端子台１０の最上段に位置する汎用端子接続部に取付けられている。なお、電子部品２００の部品本体２１０およびこれを覆うカバー部材２２０は、取付補助具１００Ａの基部１１０に設けられた受け入れ部１１３にその背部が収容されている。
【００４５】
＜Ｂ．取付補助具の詳細な構造＞
図４および図５は、それぞれ実施の形態に係る取付補助具の斜視図および正面図である。また、図６は、図５に示すＶＩ−ＶＩ線に沿った断面図であり、図７は、図６に示すＶＩＩ−ＶＩＩ線に沿った断面図である。次に、これら図４ないし図７を参照して、実施の形態に係る取付補助具１００Ａのより詳細な構造について説明する。
【００４６】
前述のとおり、図４ないし図７に示すように、取付補助具１００Ａは、基部１１０と、第１挿入部１２０Ｒおよび第２挿入部１２０Ｌとを有している。このうち、基部１１０は、取付補助具１００Ａが端子台１０に装着された状態において、端子台１０の正面壁１２に当接される部位である。一方、第１挿入部１２０Ｒおよび第２挿入部１２０Ｌは、取付補助具１００Ａが端子台１０に装着された状態において、それぞれ端子台１０の正面壁１２に設けられた第１貫通孔１３Ｒおよび第２貫通孔１３Ｌに挿入される部位である。
【００４７】
基部１１０は、上下方向（すなわち、正面側から見た場合において第１通路部１２１Ｒと第２通路部１２１Ｌとを結ぶ方向と直交する方向）において対峙する一対の立壁部（上側立壁部１１１Ｕおよび下側立壁部１１１Ｄ）と、左右方向の両端に位置する一対の枠状部（第１枠状部１１２Ｒおよび第２枠状部１１２Ｌ）とを含んでいる。
【００４８】
上側立壁部１１１Ｕおよび下側立壁部１１１Ｄは、互いに左右方向に沿って延在しており、正面側から見た場合において、概ね第１挿入部１２０Ｒと第２挿入部１２０Ｌとの間に位置している。
【００４９】
これら上側立壁部１１１Ｕおよび下側立壁部１１１Ｄは、取付補助具１００Ａが端子台１０に装着された状態において、端子台１０の正面壁１２に当接する部位であり、より詳細には、上側立壁部１１１Ｕの背面と下側立壁部１１１Ｄの背面とが、それぞれ正面壁１２に当接することになる。
【００５０】
上側立壁部１１１Ｕと下側立壁部１１１Ｄとの間には、これら上側立壁部１１１Ｕおよび下側立壁部１１１Ｄによって規定される受け入れ部１１３が位置している。この受け入れ部１１３は、上述したように、電子部品２００のカバー部材２２０およびこれによって覆われた部品本体２１０の背部を受け入れて収容するための部位である。
【００５１】
なお、上側立壁部１１１Ｕと下側立壁部１１１Ｄとの間には、正面側から見た場合において基部１１０は位置しておらず、当該部分は、前後方向において貫通している。ここで、本実施の形態においては、当該部分の背部側の位置に、第１挿入部１２０Ｒの一部と第２挿入部１２０Ｌの一部とが配置されている。
【００５２】
第１枠状部１１２Ｒは、上側立壁部１１１Ｕおよび下側立壁部１１１Ｄの各々の右端を繋ぐ円弧状の部位からなり、正面側から見た場合において、後において詳述する第１通路部１２１Ｒを取り囲んでいる。また、第２枠状部１１２Ｌは、上側立壁部１１１Ｕおよび下側立壁部１１１Ｄの各々の左端を繋ぐ円弧状の部位からなり、正面側から見た場合において、後において詳述する第２通路部１２１Ｌを取り囲んでいる。
【００５３】
これら第１枠状部１１２Ｒおよび第２枠状部１１２Ｌは、取付補助具１００Ａが端子台１０に装着された状態において、端子台１０の正面壁１２に当接する部位であり、より詳細には、第１枠状部１１２Ｒの背面と第２枠状部１１２Ｌの背面とが、それぞれ正面壁１２に当接することになる。
【００５４】
第１挿入部１２０Ｒは、基部１１０の背面の右端寄りの部分から後方に向けて突出する筒状の部位からなり、電子部品２００の第１リード２１１Ｒが挿通可能な第１通路部１２１Ｒを含んでいる。第１通路部１２１Ｒは、前後方向に沿って延在しており、その前端および後端が開放されている。ここで、第１通路部１２１Ｒの前端側の開放端は、基部１１０の右端寄りの位置に設けられた正面側第１開口部１１４Ｒによって規定されており、第１通路部１２１Ｒの後端側の開放端は、第１挿入部１２０Ｒの後端に設けられた背面側第１開口部１２３Ｒによって規定されている。
【００５５】
第１通路部１２１Ｒには、基部１１０から遠ざかるにつれて（すなわち、正面側第１開口部１１４Ｒ側の部分から背面側第１開口部１２３Ｒ側の部分に向かうにつれて）通路断面積が減少する第１案内部１２２Ｒが設けられている。この第１案内部１２２Ｒは、電子部品２００の第１リード２１１Ｒが第１通路部１２１Ｒに挿通されるに際して、当該第１リード２１１Ｒを後述する第１端子部１６Ｒ（図８参照）に案内するための部位である。
【００５６】
第２挿入部１２０Ｌは、基部１１０の背面の左端寄りの部分から後方に向けて突出する筒状の部位からなり、電子部品２００の第２リード２１１Ｌが挿通可能な第２通路部１２１Ｌを含んでいる。第２通路部１２１Ｌは、前後方向に沿って延在しており、その前端および後端が開放されている。ここで、第２通路部１２１Ｌの前端側の開放端は、基部１１０の左端寄りの位置に設けられた正面側第２開口部１１４Ｌによって規定されており、第２通路部１２１Ｌの後端側の開放端は、第２挿入部１２０Ｌの後端に設けられた背面側第２開口部１２３Ｌによって規定されている。
【００５７】
第２通路部１２１Ｌには、基部１１０から遠ざかるにつれて（すなわち、正面側第２開口部１１４Ｌ側の部分から背面側第２開口部１２３Ｌ側の部分に向かうにつれて）通路断面積が減少する第２案内部１２２Ｌが設けられている。この第２案内部１２２Ｌは、電子部品２００の第２リード２１１Ｌが第２通路部１２１Ｌに挿通されるに際して、当該第２リード２１１Ｌを後述する第２端子部１６Ｌ（図８参照）に案内するための部位である。
【００５８】
ここで、第１通路部１２１Ｒの背面側第１開口部１２３Ｒおよび第２通路部１２１Ｌの背面側第２開口部１２３Ｌは、いずれも上下方向の寸法が相対的に大きくかつ左右方向の寸法が相対的に小さい縦長孔形状を有している。このように構成することにより、第１通路部１２１Ｒおよび第２通路部１２１Ｌに挿通される電子部品２００の第１リード２１１Ｒおよび第２リード２１１Ｌの左右方向の位置決めがより精緻に行なえることになる。
【００５９】
＜Ｃ．電子部品の端子台に対する取付構造＞
図８は、図２に示すＶＩＩＩ−ＶＩＩＩ線に沿った断面図であり、図９は、図８に示すＩＸ−ＩＸ線に沿った断面図である。次に、これら図８および図９を参照して、実施の形態に係る電子部品付き端子台３における電子部品２００の端子台１０に対する取付構造についてより詳細に説明する。
【００６０】
図８および図９に示すように、端子台１０の筐体１１の内部であって正面壁１２の後方には、収容部１５が設けられている。収容部１５は、端子台１０の右側に位置する第１収容部１５Ｒと、端子台１０の左側に位置する第２収容部１５Ｌとを含んでおり、第１収容部１５Ｒは、第１貫通孔１３Ｒの後方に位置しており、第２収容部１５Ｌは、第２貫通孔１３Ｌの後方に位置している。換言すれば、第１貫通孔１３Ｒは、筐体１１の内部に設けられた第１収容部１５Ｒに達するように正面壁１２に設けられており、第２貫通孔１３Ｌは、筐体１１の内部に設けられた第２収容部１５Ｌに達するように正面壁１２に設けられている。
【００６１】
第１収容部１５Ｒには、第１貫通孔１３Ｒに面するように第１端子部１６Ｒが配置されている。一方、第２収容部１５Ｌには、第２貫通孔１３Ｌに面するように第２端子部１６Ｌが配置されている。これら第１端子部１６Ｒおよび第２端子部１６Ｌは、それぞれ電子部品２００の第１リード２１１Ｒおよび第２リード２１１Ｌが接続される部位であり、いずれも端子本体１７と板バネ１８とによって構成されている。
【００６２】
ここで、第１端子部１６Ｒおよび第２端子部１６Ｌは、厳密な意味においてはその形状等において相違する部分を含んでいるが、基本的な構造は同じであるため、以下においては、第１端子部１６Ｒに特化してその構造の説明を行なう。
【００６３】
端子本体１７は、その一部が、端子台１０の内部に設けられた第１収容部１５Ｒのうちの下方側の位置に配置されている。一方、板バネ１８は、第１収容部１５Ｒのうちの当該下方側の位置に配置された部分の端子本体１７に対向するように、端子台１０の内部に設けられた第１収容部１５Ｒのうちの上方側の位置に配置されている。本実施の形態においては、端子本体１７が側面視略Ｕ字状の形状を有しており、板バネ１８がクリップ状に折り曲げられた形状を有している。
【００６４】
板バネ１８は、その先端が端子本体１７に当接しており、自身が有する弾性力により、当該端子本体１７に対して弾性付勢された状態にある。ここで、端子本体１７は、比較的高い剛性を有する導電性の部材にて構成される。一方、板バネ１８は、弾性力に富んだ部材にて構成され、導電性の部材にて構成されてもよいし非導電性の部材にて構成されてもよい。端子本体１７は、その後端側の位置において図示しない回路基板に電気的に接続されている。
【００６５】
これにより、第１端子部１６Ｒを構成する端子本体１７およびこれに当接する部分の板バネ１８との間に、前方から電子部品２００の第１リード２１１Ｒが差し込まれることにより、これら端子本体１７と板バネ１８とによって当該第１リード２１１Ｒが挟持され、これによって第１端子部１６Ｒに第１リード２１１Ｒが接続されることになる。
【００６６】
なお、上述したように、第２端子部１６Ｌも第１端子部１６Ｒと基本的に同様の構造を有しているため、第２端子部１６Ｌを構成する端子本体１７およびこれに当接する部分の板バネ１８との間に、前方から電子部品２００の第２リード２１１Ｌが差し込まれることにより、これら端子本体１７と板バネ１８とによって当該第２リード２１１Ｌが挟持され、これによって第２端子部１６Ｌに第２リード２１１Ｌが接続されることになる。
【００６７】
ここで、第１端子部１６Ｒを構成する板バネ１８は、その所定部位が端子台１０の正面壁１２に設けられた操作用第１窓部１４Ｒに面している。また、第２端子部１６Ｌを構成する板バネ１８は、その所定部位が端子台１０の正面壁１２に設けられた操作用第２窓部１４Ｌに面している。
【００６８】
これにより、操作用第１窓部１４Ｒおよび操作用第２窓部１４Ｌに所定形状の工具を挿入することにより、当該工具を板バネ１８に接触させて板バネ１８を弾性変形させることが可能になり、板バネ１８の端子本体１７に対する当接を解除させることができる。したがって、当該工具を用いて上述した操作を行なうことにより、第１リード２１１Ｒの第１端子部１６Ｒに対する挿抜および第２リード２１１Ｌの第２端子部１６Ｌに対する挿抜がより容易に行なえることになる。
【００６９】
上述したように、本実施の形態に係る電子部品付き端子台３は、取付補助具１００Ａが介装された状態で電子部品２００が端子台１０に取付けられてなるものである。
【００７０】
具体的には、図８および図９に示すように、取付補助具１００Ａは、その基部１１０が端子台１０の正面壁１２に当接するとともに第１貫通孔１３Ｒおよび第２貫通孔１３Ｌにその一部が面するように筐体１１の外側に配置されており、その第１挿入部１２０Ｒが正面壁１２に設けられた第１貫通孔１３Ｒに挿入され、その第２挿入部１２０Ｌが正面壁１２に設けられた第２貫通孔１３Ｌに挿入されている。
【００７１】
また、電子部品２００は、その部品本体２１０が端子台１０の正面壁１２に面するように筐体１１の外側に配置されており、その第１リード２１１Ｒが正面壁１２に設けられた第１貫通孔１３Ｒに挿通されることで第１端子部１６Ｒに接続されており、その第２リード２１１Ｌが正面壁１２に設けられた第２貫通孔１３Ｌに挿通されることで第２端子部１６Ｌに接続されている。
【００７２】
ここで、電子部品２００のカバー部材２２０およびこれによって覆われた部品本体２１０の背部は、取付補助具１００Ａの基部１１０に設けられた受け入れ部１１３によって受け入れられて収容された状態にあり、さらに電子部品２００の第１リード２１１Ｒは、取付補助具１００Ａの基部１１０および第１挿入部１２０Ｒに跨がって設けられた第１通路部１２１Ｒに挿通された状態にあり、また、電子部品２００の第２リード２１１Ｌは、取付補助具１００Ａの基部１１０および第２挿入部１２０Ｌに跨がって設けられた第２通路部１２１Ｌに挿通された状態にある。
【００７３】
このように構成することにより、端子台１０の正面壁１２に設けられた第１貫通孔１３Ｒと電子部品２００の第１リード２１１Ｒとの間、および、端子台１０の正面壁１２に設けられた第２貫通孔１３Ｌと電子部品２００の第２リード２１１Ｌとの間に、それぞれ取付補助具１００Ａの第１挿入部１２０Ｒおよび第２挿入部１２０Ｌが介在することになるため、端子台１０に対する電子部品２００の取付状態が安定化することになる。
【００７４】
また、取付補助具１００Ａの正面側の位置に、電子部品２００のカバー部材２２０およびこれによって覆われた部品本体２１０の背部を受け入れて収容する受け入れ部１１３が設けられていることにより、電子部品２００の取付状態が安定化するばかりでなく、端子台１０の正面側の位置において電子部品２００および取付補助具１００Ａが大きく迫り出すように配置されることもないため、これら電子部品２００および取付補助具１００Ａが邪魔になることも回避することもできる。
【００７５】
加えて、受け入れ部１１３が、第１通路部１２１Ｒと第２通路部１２１Ｌとの間に位置していることに伴い、その背部が受け入れ部１１３に収容された状態にある電子部品２００のカバー部材２２０およびこれによって覆われた部品本体２１０が、端子台１０の正面側の位置において第１貫通孔１３Ｒと第２貫通孔１３Ｌとの間に配置されることになる。
【００７６】
そのため、このように構成することにより、これら第１貫通孔１３Ｒおよび第２貫通孔１３Ｌが設けられた部分の端子台１０の正面側の領域から電子部品２００および取付補助具１００Ａが外側（すなわち、左右方向や上下方向等）に向けて大きく食み出すように配置されることがなくなり、これら電子部品２００および取付補助具１００Ａが邪魔になることをさらに回避することができる。
【００７７】
また、受け入れ部１１３が、上下方向において対峙する上側立壁部１１１Ｕおよび下側立壁部１１１Ｄによって規定されていることにより、端子台１０の正面側の位置において上下方向に沿って電子部品２００のカバー部材２２０およびこれによって覆われた部品本体２１０の背部を挟み込むことが可能になるため、受け入れ部１１３によって電子部品２００をより安定的に受け入れて収容することも可能になる。
【００７８】
また、正面側から見た場合において、上側立壁部１１１Ｕおよび下側立壁部１１１Ｄの間に基部１１０が位置していないことにより、受け入れ部１１３に収容された部分の電子部品２００の背面と端子台１０の正面壁１２との間に取付補助具１００Ａが位置しないことになるため、端子台１０の正面側の位置において電子部品２００および取付補助具１００Ａの迫り出し量を最小化することが可能になり、これら電子部品２００および取付補助具１００Ａが邪魔になることを最大限回避することもできる。
【００７９】
また、基部１１０に上側立壁部１１１Ｕおよび下側立壁部１１１Ｄのみならず第１枠状部１１２Ｒおよび第２枠状部１１２Ｌも設けられているため、これら上側立壁部１１１Ｕ、下側立壁部１１１Ｄ、第１枠状部１１２Ｒおよび第２枠状部１１２Ｌの各々の背面が端子台１０の正面壁１２に当接することになり、電子部品２００と端子台１０との間に介装される取付補助具１００Ａが端子台１０に対してより安定的に位置決めされて保持されることになり、結果として端子台１０に対する電子部品２００の取付状態をさらに安定化させることもできる。
【００８０】
ここで、本実施の形態に係る電子部品付き端子台３にあっては、上述したように、取付補助具１００Ａの第１通路部１２１Ｒおよび第２通路部１２１Ｌに上述した第１案内部１２２Ｒおよび第２案内部１２２Ｌが設けられている。そのため、端子台１０に対する電子部品２００の取付け時においては、電子部品２００の第１リード２１１Ｒおよび第２リード２１１Ｌがこれら第１案内部１２２Ｒおよび第２案内部１２２Ｌによってそれぞれ案内されて第１端子部１６Ｒおよび第２端子部１６Ｌに接続されることになり、接続位置の適正化および取付作業の容易化が図られることになる。また、取付け後の状態においては、第１リード２１１Ｒおよび第２リード２１１Ｌがそれら各々の接続方向と直交する方向（すなわち左右方向および上下方向等）において位置ずれを起こしてしまうことが抑制でき、結果として接続不良の発生を未然に防止することができる。
【００８１】
なお、図８を参照して、電子部品２００の第１リード２１１Ｒおよび第２リード２１１Ｌの各々に設けられた折り曲げ部間の距離Ａと、第１端子部１６Ｒおよび第２端子部１６Ｌ間のピッチＢとが不整合である場合には、特に上述した第１案内部１２２Ｒおよび第２案内部１２２Ｌを取付補助具１００Ａに設けることが好適である。すなわち、端子台１０に対する電子部品２００の取付け時においてこれら第１案内部１２２Ｒおよび第２案内部１２２Ｌによって第１リード２１１Ｒおよび第２リード２１１Ｌの向きが矯正されることにより、第１リード２１１Ｒの第１端子部１６Ｒに対する接続位置および第２リード２１１Ｌの第２端子部１６Ｌに対する接続位置を所望の位置に調節することが可能になり、電子部品２００や端子台１０、電子機器１００等に外力が印加された場合にも、電子部品２００の接続不良が発生してしまうことが大幅に抑制できることになる。
【００８２】
ここで、図８に示す例では、電子部品２００の第１リード２１１Ｒおよび第２リード２１１Ｌの各々に設けられた折り曲げ部間の距離Ａが、第１端子部１６Ｒおよび第２端子部１６Ｌ間のピッチＢよりも大きい場合を示しているが、この場合には、第１通路部１２１Ｒの背面側第１開口部１２３Ｒおよび第２通路部１２１Ｌの背面側第２開口部１２３Ｌ間のピッチＣを、上述した距離Ａよりも小さく、上述したピッチＢよりも大きく設定することが好ましい。
【００８３】
一方で、電子部品２００の第１リード２１１Ｒおよび第２リード２１１Ｌの各々に設けられた折り曲げ部間の距離Ａが、第１端子部１６Ｒおよび第２端子部１６Ｌ間のピッチＢよりも小さい場合には、第１通路部１２１Ｒの背面側第１開口部１２３Ｒおよび第２通路部１２１Ｌの背面側第２開口部１２３Ｌ間のピッチＣを、上述した距離Ａよりも大きく、上述したピッチＢよりも小さく設定することが好ましい。
【００８４】
なお、電子部品２００の第１リード２１１Ｒおよび第２リード２１１Ｌの各々に設けられた折り曲げ部間の距離Ａが、第１端子部１６Ｒおよび第２端子部１６Ｌ間のピッチＢと同じである場合には、第１通路部１２１Ｒの背面側第１開口部１２３Ｒおよび第２通路部１２１Ｌの背面側第２開口部１２３Ｌ間のピッチＣを、上述した距離ＡおよびピッチＢと同じに設定することが好ましい。
【００８５】
すなわち、電子部品２００を端子台１０に取付けた取付け後の状態において、背面側第１開口部１２３Ｒが、第１リード２１１Ｒの折り曲げ部と第１リード２１１Ｒに対する第１端子部１６Ｒの接続の狙い位置とを結ぶ線分上に位置するとともに、背面側第２開口部１２３Ｌが、第２リード２１１Ｌの折り曲げ部と第２リード２１１Ｌに対する第２端子部１６Ｌの接続の狙い位置とを結ぶ線分上に位置するように、上述した取付補助具１００Ａを設計することが好ましく、このように取付補助具１００Ａを設計すれば、電子部品２００の接続不良の発生が大幅に抑制できることになる。
【００８６】
＜Ｄ．小括＞
以上において説明したように、本実施の形態に係る電子部品付き端子台３およびこれを備えた電子機器１とすることにより、端子台１０に対する電子部品２００の取付状態が安定化した電子部品付き端子台およびこれを備えた電子機器とすることができ、また、本実施の形態に係る取付補助具１００Ａとすることにより、端子台１０に電子部品２００を取付ける場合にその取付状態を安定化させることができる電子部品用取付補助具とすることができる。
【００８７】
＜Ｅ．変形例＞
図１０および図１１は、それぞれ上述した実施の形態に基づいた第１変形例に係る取付補助具の斜視図および断面図である。以下、これら図１０および図１１を参照して、第１変形例に係る取付補助具１００Ｂについて説明する。なお、当該取付補助具１００Ｂは、上述した実施の形態に係る取付補助具１００Ｂに代えて、上述した電子機器１およびこれに具備された電子部品付き端子台３に用いられるものである。
【００８８】
図１０および図１１に示すように、第１変形例に係る取付補助具１００Ｂは、上述した実施の形態に係る取付補助具１００Ａに比較した場合に、基部１１０、第１挿入部１２０Ｒおよび第２挿入部１２０Ｌの形状が相違するものである。具体的には、取付補助具１００Ｂにおいては、円弧状に延びる第１枠状部１１２Ｒおよび第２枠状部１１２Ｌがより長く構成されており、これに伴って上側立壁部１１１Ｕおよび下側立壁部１１１Ｄがより短くかつそれらの間の距離がより小さく構成されているとともに、第１通路部１２１Ｒおよび第２通路部１２１Ｌが、いずれもその前端側の部分が略円柱状の空間を有しかつその後端側の部分が略円錐台状の空間を有するように形成されている。
【００８９】
このように構成した場合にも、基本的には上述した実施の形態の場合と同様の構成であるため、当該取付補助具１００Ｂを具備した電子部品付き端子台および電子機器とすることにより、端子台に対する電子部品の取付状態が安定化することになり、また、当該取付補助具１００Ｂを用いることにより、端子台に電子部品を取付ける場合にその取付状態を安定化させることができる。
【００９０】
図１２および図１３は、それぞれ上述した実施の形態に基づいた第２変形例に係る取付補助具の斜視図および断面図である。以下、これら図１２および図１３を参照して、第２変形例に係る取付補助具１００Ｃについて説明する。なお、当該取付補助具１００Ｃは、上述した実施の形態に係る取付補助具１００Ａに代えて、上述した電子機器１およびこれに具備された電子部品付き端子台３に用いられるものである。
【００９１】
図１２および図１３に示すように、第２変形例に係る取付補助具１００Ｃは、上述した第１変形例に係る取付補助具１００Ｂに比較した場合に、第１挿入部１２０Ｒおよび第２挿入部１２０Ｌの形状が相違するものである。具体的には、取付補助具１００Ｃにおいては、第１通路部１２１Ｒおよび第２通路部１２１Ｌが、いずれもその前端側の部分が略円錐台状の空間を有しかつその後端側の部分が略円柱状の空間を有するように形成されている。また、第１挿入部１２０Ｒおよび第２挿入部１２０Ｌの外周面には、それぞれ第１リブ１２４Ｒおよび第２リブ１２４Ｌが設けられている。
【００９２】
このように構成した場合にも、基本的には上述した実施の形態の場合と同様の構成であるため、当該取付補助具１００Ｃを具備した電子部品付き端子台および電子機器とすることにより、端子台に対する電子部品の取付状態が安定化することになり、また、当該取付補助具１００Ｃを用いることにより、端子台に電子部品を取付ける場合にその取付状態を安定化させることができる。
【００９３】
図１４および図１５は、それぞれ上述した実施の形態に基づいた第３変形例に係る取付補助具の斜視図および断面図である。以下、これら図１４および図１５を参照して、第３変形例に係る取付補助具１００Ｄについて説明する。なお、当該取付補助具１００Ｄは、上述した実施の形態に係る取付補助具１００Ａに代えて、上述した電子機器１およびこれに具備された電子部品付き端子台３に用いられるものである。
【００９４】
図１４および図１５に示すように、第３変形例に係る取付補助具１００Ｄは、上述した第１変形例に係る取付補助具１００Ｂに比較した場合に、基部１１０、第１挿入部１２０Ｒおよび第２挿入部１２０Ｌの形状が相違するものである。具体的には、取付補助具１００Ｄにおいては、円弧状に延びる第１枠状部１１２Ｒおよび第２枠状部１１２Ｌが所定位置において切り欠かれているともに、第１挿入部１２０Ｒおよび第２挿入部１２０Ｌにそれぞれ第１係止部１２５Ｒおよび第２係止部１２５Ｌが設けられている。
【００９５】
ここで、第１係止部１２５Ｒおよび第２係止部１２５Ｌは、取付補助具１００Ｄを端子台１０の正面壁１２により強固に固定するための部位であり、その後端部にフック部が設けられることにより、取付状態において基部１１０と当該フック部とによって正面壁１２が挟み込まれるように構成したものである。
【００９６】
このように構成した場合にも、基本的には上述した実施の形態の場合と同様の構成であるため、当該取付補助具１００Ｄを具備した電子部品付き端子台および電子機器とすることにより、端子台に対する電子部品の取付状態が安定化することになり、また、当該取付補助具１００Ｄを用いることにより、端子台に電子部品を取付ける場合にその取付状態を安定化させることができる。
【００９７】
＜Ｆ．付記＞
上述した実施の形態および当該実施の形態に基づいた第１ないし第３変形例は、以下のような技術思想を含む。
［構成１］
端子台（１０）と、
前記端子台（１０）に取付けられた電子部品（２００）と、
前記電子部品（２００）と前記端子台（１０）との間に介装された絶縁性の取付補助具（１００Ａ，１００Ｂ，１００Ｃ，１００Ｄ）と、を備えた電子部品付き端子台（３）であって、
前記端子台（１０）は、内部に形成された収容部（１５）に達するように第１貫通孔（１３Ｒ）および第２貫通孔（１３Ｌ）が正面壁（１２）に設けられた筐体（１１）と、前記第１貫通孔（１３Ｒ）に面するように前記収容部（１５）に配置された第１端子部（１６Ｒ）と、前記第２貫通孔（１３Ｌ）に面するように前記収容部（１５）に配置された第２端子部（１６Ｌ）と、を含み、
前記電子部品（２００）は、前記正面壁（１２）に面するように前記筐体（１１）の外側に配置された部品本体（２１０，２２０）と、前記第１貫通孔（１３Ｒ）に挿通されるとともに前記第１端子部（１６Ｒ）に接続された第１リード（２１１Ｒ）と、前記第２貫通孔（１３Ｌ）に挿通されるとともに前記第２端子部（１６Ｌ）に接続された第２リード（２１１Ｌ）と、を含み、
前記取付補助具（１００Ａ，１００Ｂ，１００Ｃ，１００Ｄ）は、背面が前記正面壁（１２）に当接するとともに前記第１貫通孔（１３Ｒ）および前記第２貫通孔（１３Ｌ）に一部が面するように前記筐体（１１）の外側に配置された基部（１１０）と、前記基部（１１０）の背面から突出することで前記第１貫通孔（１３Ｒ）に挿入された第１挿入部（１２０Ｒ）と、前記基部（１１０）の背面から突出することで前記第２貫通孔（１３Ｌ）に挿入された第２挿入部（１２０Ｌ）と、を含み、
前記第１リード（２１１Ｒ）が挿通される中空状の第１通路部（１２１Ｒ）が、前記基部（１１０）および前記第１挿入部（１２０Ｒ）に跨がって設けられ、
前記第２リード（２１１Ｌ）が挿通される中空状の第２通路部（１２１Ｌ）が、前記基部（１１０）および前記第２挿入部（１２０Ｌ）に跨がって設けられ、
前記部品本体（２１０，２２０）の少なくとも背部を受け入れて収容する受け入れ部（１１３）が、前記基部（１１０）の正面側の位置に設けられている、電子部品付き端子台。
［構成２］
前記受け入れ部（１１３）が、前記第１通路部（１２１Ｒ）と前記第２通路部（１２１Ｌ）との間に少なくとも位置している、構成１に記載の電子部品付き端子台。
［構成３］
前記基部（１１０）は、正面側から見た場合において前記第１通路部（１２１Ｒ）と前記第２通路部（１２１Ｌ）とを結ぶ方向に直交する方向において対峙する一対の立壁部（１１１Ｕ，１１１Ｄ）を有し、
前記受け入れ部（１１３）が、前記一対の立壁部（１１１Ｕ，１１１Ｄ）によって規定されている、構成２に記載の電子部品付き端子台。
［構成４］
正面側から見た場合において、前記一対の立壁部（１１１Ｕ，１１１Ｄ）の間に前記基部（１１０）が位置していない、構成３に記載の電子部品付き端子台。
［構成５］
前記第１通路部（１２１Ｒ）が、前記基部（１１０）から遠ざかるにつれて通路断面積が減少することで前記第１リード（２１１Ｒ）を前記第１端子部（１６Ｒ）に案内する第１案内部（１２２Ｒ）を有し、
前記第２通路部（１２１Ｌ）が、前記基部（１１０）から遠ざかるにつれて通路断面積が減少することで前記第２リード（２１１Ｌ）を前記第２端子部（１６Ｌ）に案内する第２案内部（１２２Ｌ）を有している、構成１から４のいずれかに記載の電子部品付き端子台。
［構成６］
正面側から見た場合に前記第１通路部（１２１Ｒ）の少なくとも一部を取り囲む第１枠状部（１１２Ｒ）が、前記基部（１１０）に設けられ、
正面側から見た場合に前記第２通路部（１２１Ｌ）の少なくとも一部を取り囲む第２枠状部（１１２Ｌ）が、前記基部に設けられ、
前記第１枠状部（１１２Ｒ）の背面および前記第２枠状部（１１２Ｌ）の背面が、それぞれ前記正面壁（１２）に当接している、構成１から５のいずれかに記載の電子部品付き端子台。
［構成７］
構成１から６のいずれかに記載の電子部品付き端子台（３）を備えた、電子機器。
［構成８］
端子台に取付けられる電子部品と端子台との間に介装される電子部品用取付補助具（１００Ａ，１００Ｂ，１００Ｃ，１００Ｄ）であって、
背面が端子台の筐体の正面壁に当接するとともに端子台の第１貫通孔および端子台の第２貫通孔に一部が面するように端子台の筐体の外側に配置されるための基部（１１０）と、
前記基部（１１０）の背面から突出することで端子台の第１貫通孔に挿入されるための第１挿入部（１２０Ｒ）と、
前記基部（１１０）の背面から突出することで端子台の第２貫通孔に挿入されるための第２挿入部（１２０Ｌ）と、を備え、
電子部品の第１リードが挿通されるための中空状の第１通路部（１２１Ｒ）が、前記基部（１１０）および前記第１挿入部（１２０Ｒ）に跨がって設けられ、
電子部品の第２リードが挿通されるための中空状の第２通路部（１２１Ｌ）が、前記基部（１１０）および前記第２挿入部（１２０Ｌ）に跨がって設けられ、
電子部品の部品本体の少なくとも背部を受け入れて収容する受け入れ部（１１３）が、前記基部（１１０）の正面側の位置に設けられている、電子部品用取付補助具。
【００９８】
＜Ｇ．その他＞
上述した実施の形態および当該実施の形態に基づいた第１ないし第３変形例においては、取付補助具の基部に設けられる受け入れ部を上下方向において対峙する上側立設部および下側立設部にて構成するとともに、これら上側立設部と下側立設部との間の位置に基部が位置しないように構成した場合を例示して説明を行なったが、受け入れ部の構成は、このようなものに限定されるものではなく、他の形状のものとしてもよい。たとえば基部の前面側に凹部を設けることで当該凹部によって受け入れ部を構成してもよい。
【００９９】
また、上述した実施の形態および当該実施の形態に基づいた第１ないし第３変形例においては、本開示をＰＬＣの測温ユニットおよびこれに具備された電子部品付き端子台ならびにこれに用いられる電子部品用取付補助具に適用した場合を例示して説明を行なったが、本開示の適用対象はこれに限定されるものではなく、各種の電子機器およびこれに具備された電子部品付き端子台ならびにこれに用いられる電子部品用取付補助具に本開示における特徴的な構成を適用することができる。
【０１００】
また、上述した実施の形態および当該実施の形態に基づいた第１ないし第３変形例において示した特徴的な構成は、本発明の趣旨を逸脱しない範囲において相互に組み合わせることができる。
【０１０１】
このように、今回開示した上記実施の形態およびその変形例はすべての点で例示であって、制限的なものではない。本発明の技術的範囲は特許請求の範囲によって画定され、また特許請求の範囲の記載と均等の意味および範囲内でのすべての変更を含むものである。
【符号の説明】
【０１０２】
１  電子機器、２  機器本体、３  電子部品付き端子台、１０  端子台、１１  筐体、１２  正面壁、１３Ｒ  第１貫通孔、１３Ｌ  第２貫通孔、１４Ｒ  操作用第１窓部、１４Ｌ  操作用第２窓部、１５  収容部、１５Ｒ  第１収容部、１５Ｌ  第２収容部、１６Ｒ  第１端子部、１６Ｌ  第２端子部、１７  端子本体、１８  板バネ、１００Ａ〜１００Ｄ  取付補助具、１１０  基部、１１１Ｕ  上側立壁部、１１１Ｄ  下側立壁部、１１２Ｒ  第１枠状部、１１２Ｌ  第２枠状部、１１３  受け入れ部、１１４Ｒ  正面側第１開口部、１１４Ｌ  正面側第２開口部、１２０Ｒ  第１挿入部、１２０Ｌ  第２挿入部、１２１Ｒ  第１通路部、１２１Ｌ  第２通路部、１２２Ｒ  第１案内部、１２２Ｌ  第２案内部、１２３Ｒ  背面側第１開口部、１２３Ｌ  背面側第２開口部、１２４Ｒ  第１リブ、１２４Ｌ  第２リブ、１２５Ｒ  第１係止部、１２５Ｌ  第２係止部、２００  電子部品、２１０  部品本体、２１１Ｒ  第１リード、２１１Ｌ  第２リード、２２０  カバー部材。
【図１】
2020149928.tif 000003
【図２】
2020149928.tif 000004
【図３】
2020149928.tif 000005
【図４】
2020149928.tif 000006
【図５】
2020149928.tif 000007
【図６】
2020149928.tif 000008
【図７】
2020149928.tif 000009
【図８】
2020149928.tif 000010
【図９】
2020149928.tif 000011
【図１０】
2020149928.tif 000012
【図１１】
2020149928.tif 000013
【図１２】
2020149928.tif 000014
【図１３】
2020149928.tif 000015
【図１４】
2020149928.tif 000016
【図１５】
2020149928.tif 000017